(57)【特許請求の範囲】
【請求項１】
無線ＬＡＮモジュールと、
前記無線ＬＡＮモジュールで受信した第１オーディオ信号をストリーミング再生して出力する再生手段と、
前記ストリーミング再生しつつ外部で生成された第２オーディオ信号を入力する入力手段と、
前記ストリーミング再生された前記第１オーディオ信号と前記第２オーディオ信号をミックス処理する処理手段と、
前記処理手段でミックス処理されたオーディオ信号を記録媒体に記録する記録手段と、
前記無線ＬＡＮモジュールで受信した前記第１オーディオ信号と、前記記録媒体から読み出されたオーディオ信号が選択的に格納されるバッファメモリと、
前記バッファメモリから読み出された前記第１オーディオ信号と、前記記録媒体から読み出されたオーディオ信号が選択的に格納されるミックス用バッファメモリと、
前記無線ＬＡＮモジュールで受信した前記第１オーディオ信号を用いた第１ミキシングモードと、前記記録媒体から読み出されたオーディオ信号を用いた第２ミキシングモードとを切り替える切替スイッチと、
を備え、
前記処理手段は、前記第１ミキシングモードが設定された場合に前記ミックス用バッファメモリに格納された前記第１オーディオ信号と前記第２オーディオ信号をミックス処理し、前記第２ミキシングモードが設定された場合に前記ミックス用バッファメモリに格納された前記記録媒体から読み出されたオーディオ信号と前記第２オーディオ信号をミックス処理する、
ことを特徴とする無線ＬＡＮ機能を備えた録音再生装置。
【発明の詳細な説明】
【技術分野】
【０００１】
本発明は録音装置に関し、特に無線ＬＡＮ機能を備えた録音再生装置に関する。
【背景技術】
【０００２】
従来から、ミキシングするための音源が記録されている記録媒体を録音再生装置に装着し、音源を再生しつつ録音再生装置のマイクロフォンや外部入力端子から入力されるオーディオ信号とミキシングする録音方法や、外部入力端子から入力されるオーディオ信号とマイクロフォンから入力されるオーディオ信号をミキシングする録音方法が知られている。
【０００３】
特許文献１には、パソコンからダウンロードしたオーディオ信号と外部入力されるマイク信号をミキサでミックスしてミニディスク（ＭＤ）に記録する録音装置が記載されている。
【０００４】
特許文献２には、インターネットを介して希望する楽曲をハードディスクにダウンロードし、マイク入力信号とミックスして出力する携帯式カラオケ装置が記載されている。
【０００５】
特許文献３には、システムメモリに記憶されているストリームと、ストリーミングアプリケーションにより受け取られるストリームをデコードしてアナログミキシングして出力するマージシステムが記載されている。  
【先行技術文献】
【特許文献】
【０００６】
【特許文献１】実用新案第３１００２５０号
【特許文献２】実用新案第３１０６７９０号
【特許文献３】特許第３９６１１８５号
【発明の概要】
【発明が解決しようとする課題】
【０００７】
ミキシング録音において、音源を記録した記録媒体を用いる場合、予め記録媒体にミキシングするための音源を録音しておかなければならず、複数の音源、例えばギターパート、ベースパート、ヴォーカルパート、ドラムパート等をミキシングしたい場合に、ミキシングの度に記録媒体を交換しなければならず、操作性及び作業効率が極めて悪い問題がある。
【０００８】
また、外部入力端子を用いる場合、接続ケーブルの長さに物理的な制限があるため、録音再生装置を音源に近接配置する必要があり、複数の録音再生装置に記録されている音源をミキシングするためには記録媒体を用いる場合と同様にその都度複数の録音再生装置を接続交換する必要があることから、同様に操作性及び作業効率が悪い問題がある。
【０００９】
従って、音源を備えた機器と録音再生装置とを無線で接続することが望ましいが、従来においては無線接続された機器を用いてミキシング録音を実現する構成については十分検討されていない。
【００１０】
本発明は、音源を備えた機器との間で無線接続することで、操作性及び作業効率に優れたミキシング録音を行うことのできる録音再生装置を提供することにある。  
【課題を解決するための手段】
【００１１】
本発明は、無線ＬＡＮモジュールと、前記無線ＬＡＮモジュールで受信した第１オーディオ信号をストリーミング再生して出力する再生手段と、前記ストリーミング再生しつつ外部で生成された第２オーディオ信号を入力する入力手段と、前記ストリーミング再生された前記第１オーディオ信号と前記第２オーディオ信号をミックス処理する処理手段と、前記処理手段でミックス処理されたオーディオ信号を記録媒体に記録する記録手段と、前記無線ＬＡＮモジュールで受信した前記第１オーディオ信号と、前記記録媒体から読み出されたオーディオ信号が選択的に格納されるバッファメモリと、前記バッファメモリから読み出された前記第１オーディオ信号と、前記記録媒体から読み出されたオーディオ信号が選択的に格納されるミックス用バッファメモリと、前記無線ＬＡＮモジュールで受信した前記第１オーディオ信号を用いた第１ミキシングモードと、前記記録媒体から読み出されたオーディオ信号を用いた第２ミキシングモードとを切り替える切替スイッチとを備え、前記処理手段は、前記第１ミキシングモードが設定された場合に前記ミックス用バッファメモリに格納された前記第１オーディオ信号と前記第２オーディオ信号をミックス処理し、前記第２ミキシングモードが設定された場合に前記ミックス用バッファメモリに格納された前記記録媒体から読み出されたオーディオ信号と前記第２オーディオ信号をミックス処理することを特徴とする。
【発明の効果】
【００１４】
本発明によれば、音源を備えた機器、例えばスマートフォン等との間で無線接続することで、操作性及び作業効率に優れたミキシング録音を行うことができる。
【図面の簡単な説明】
【００１５】
【図１】実施形態のシステム構成図である。
【図２】実施形態の処理フローチャートである。
【図３】実施形態の他の処理フローチャートである。
【図４】実施形態の録音再生装置の構成ブロック図である。
【図５】実施形態のシステムコントローラの処理を示す模式図である。
【発明を実施するための形態】
【００１６】
以下、図面に基づき本発明の実施形態について説明する。
【００１７】
図１は、本実施形態のシステム構成図である。録音再生装置１０は、音源を備えた機器と無線接続する。本実施形態では、音源を備えた機器としてスマートフォン１２を例示し、無線接続として無線ＬＡＮ、より特定的にはＷｉ−Ｆｉ接続を例示する。Ｗｉ−Ｆｉモジュールを備えたスマートフォンは公知であり、無線ルータ等のアクセスポイントを介してインターネットに接続し得る。
【００１８】
録音再生装置１０は、公知の録音再生機能を備え、内蔵マイク２２やライン入力端子２４から入力されたオーディオ信号を処理してＳＤカード等の記録媒体に記録し、かつ、ＳＤカードに記録されたオーディオ信号を再生して内蔵スピーカから出力する。また、録音再生装置１０は、Ｗｉ−Ｆｉモジュールを備え、スマートフォン１２との間でＷｉ−Ｆｉ接続する。録音再生装置１０とスマートフォン１２との間のＷｉ−Ｆｉ接続は、本実施形態では１対１接続であるが、必ずしもこれに限定されない。
【００１９】
スマートフォン１２は、内部の記録媒体に音源データを記録しており、当該音源データを再生してＷｉ−Ｆｉ接続を介して録音再生装置１０にオーディオ信号を送信する。当該音源は、予めスマートフォン１２で録音したものでもよく、あるいはインターネット経由でダウンロードしたものでもよい。ユーザは、スマートフォン１２にインストールされた所定のアプリケーションを起動し、このアプリケーションを操作して、録音再生装置１０に送信すべき音源データを選択し送信する。スマートフォン１２からＷｉ−Ｆｉ接続で録音再生装置１０に送信される信号を第１オーディオ信号と称する。
【００２０】
録音再生装置１０は、スマートフォン１２から送信された第１オーディオ信号を受信し、これをストリーミング再生して内蔵スピーカから出力する。
【００２１】
録音再生装置１０のユーザは、内蔵スピーカから出力された第１オーディオ信号を聴きながら、所望の楽曲パートを演奏する。図１では、所望の楽曲パートとしてギター等の楽器１４のパートが示されているが、これ以外の任意のパート、例えばベースパート、ヴォーカルパート、ドラムパート等でもよい。
【００２２】
楽器１４のパートが演奏されると、録音再生装置１０は、内蔵マイク２２（あるいはライン入力端子２４）から演奏音を入力し、第２オーディオ信号として第１オーディオ信号とミックスする。そして、ミックス処理（ミキシング）された第１オーディオ信号と第２オーディオ信号をＳＤカード等の記録媒体に記録する。
【００２３】
このように、録音再生装置１０とスマートフォン１２をＷｉ−Ｆｉ接続し、スマートフォン１２に記録された音源を録音再生装置１０でストリーミング再生することで、記録媒体の交換等を行う必要がなくなるとともに、Ｗｉ−Ｆｉ接続可能な範囲内において録音再生装置１０を所望の位置に自由に配置することができるため、操作性及び作業効率が格段に向上する。
【００２４】
本実施形態では、スマートフォン１２を操作するユーザＡと楽器１４を演奏するユーザＢが離れた位置に配置し、ユーザＡがスマートフォン１２を操作して第１オーディオ信号を送信し、ユーザＢが第１オーディオ信号を聴きながら自己の近傍に配置した録音再生装置１０に自己が生成した第２オーディオ信号をミックスできる。
【００２５】
また、近年においては、ほとんどのユーザがスマートフォン１２を所持しているため、自己のスマートフォン１２を用いて任意の音源を選択し、所望の楽器とミキシングを楽しむことができる。
【００２６】
図２は、本実施形態の処理フローチャートである。
【００２７】
まず、録音再生装置１０は、スマートフォン１２との間でＷｉ−Ｆｉ接続を行う（Ｓ１０１）。具体的には、録音再生装置１０のＷｉ−Ｆｉボタンを操作してＷｉ−Ｆｉモジュールを起動する。次に、スマートフォン１２側のＷｉ−Ｆｉボタンあるいはアイコンを操作してＷｉ−Ｆｉモジュールを起動する。スマートフォン１２で録音再生装置１０を検出し、録音再生装置１０の無線ＬＡＮにおけるアクセスポイントの識別名であるＳＳＩＤが表示されたときに、これに対応するパスワードを入力してＷｉ−Ｆｉ接続を確立する。なお、パスワードは、録音再生装置１０の表示部に表示してユーザに視認させることができる。録音再生装置１０は、特定のスマートフォン１２との間にＷｉ−Ｆｉ接続を確立すると、その旨をＬＥＤ等の点灯により表示する。録音再生装置１０は、無線ＬＡＮにおけるアクセスポイントとして機能するが、スマートフォン１２以外の他の機器とは接続せず１対１接続する。これにより、ストリーミング再生する音源データが一意に特定される。なお、スマートフォン１２と録音再生装置１０との接続は、ＮＦＣ（Near Field Communication）技術を使用して確立させるようにしてもよい。
【００２８】
次に、スマートフォン１２側で所望の音源を再生し、録音再生装置１０側でスマートフォン１２から送信された第１オーディオ信号をストリーミング再生する（Ｓ１０２）。すなわち、スマートフォン１２から送信された第１オーディオ信号をストリーミング再生用バッファメモリに格納しつつ、これと並行して当該ストリーミング再生用バッファから第１オーディオ信号を読み出して内蔵スピーカから出力する。ストリーミング再生に用いるプロトコルは任意であり、ＲＴＳＰ、ＭＭＳ、ＲＴＭＰ、ＨＴＴＰ  Ｌｉｖｅ  Ｓｔｒｅａｍｉｎｇ、ＭＰＥＧ−ＤＡＳＨ等を用い得る。
【００２９】
なお、ストリーミング再生の際には、後のミックス処理のために、読み出した第１オーディオ信号をミックス用バッファメモリに一時的に格納し、その後に内蔵スピーカから出力するが、これについてはさらに後述する。
【００３０】
次に、第１オーディオ信号を再生しながらギター等の所望の楽器１４を演奏し、この演奏音を第２オーディオ信号として、例えば内蔵マイク２２から入力する（Ｓ１０３）。
【００３１】
そして、内蔵マイクから入力した第２オーディオ信号と、ストリーミング再生された第１オーディオ信号とをミックスし（Ｓ１０４）、ミックスされた第１オーディオ信号と第２オーディオ信号をＳＤカード等の内蔵の記録媒体に記録する（Ｓ１０５）。この際に、内蔵マイクから入力された第２オーディオ信号をミックス用バッファメモリに格納することで、当該ミックス用バッファメモリに既に格納されている第１オーディオ信号と加算してミックスする。加算時にレベル調整した上でミックス処理してもよい。
【００３２】
図３は、本実施形態の他の処理フローチャートである。最初に録音した音声等に対して、音声等を繰り返し重ね録する多重録音の手法としてオーバ・ダビング（オーバ・ダブ）が知られているが、このオーバ・ダブとの組み合わせ処理である。
【００３３】
まず、録音再生装置１０は、スマートフォン１２との間でＷｉ−Ｆｉ接続を行う（Ｓ２０１）。
【００３４】
次に、Ｗｉ−Ｆｉミキシングを行うか、オーバ・ダブを行うかを判定する（Ｓ２０２）。ユーザが例えば切替ボタンを操作してＷｉ−Ｆｉミキシングを選択すると、スマートフォン１２から送信された第１オーディオ信号をストリーミング再生し（Ｓ２０３）、ストリーミング再生しながら所望の楽器等を演奏し、第２オーディオ信号として、例えば内蔵マイク２２から入力し（Ｓ２０４）、第１オーディオ信号と第２オーディオ信号をミックスして（Ｓ２０５）、ＳＤカードに記録する（Ｓ２０６）。
【００３５】
他方、ユーザが切替ボタンを操作してオーバ・ダブを選択すると、ＳＤカードに記録されているオーディオ信号を再生し（Ｓ２０７）、再生しながら所望の楽器等を演奏し、内蔵マイクから入力し（Ｓ２０８）、再生したオーディオ信号と内蔵マイクから入力したオーディオ信号をミックスして（Ｓ２０５）、ＳＤカードに記録する（Ｓ２０６）。
【００３６】
これら２つの処理の違いは、ミックス処理の対象となる音源がスマートフォン１２であるかＳＤカードであるかの違いであり、この意味で、本実施形態はオーバ・ダブの処理対象を内蔵のＳＤカードから外部のスマートフォン１２まで拡大したものといえよう。
【００３７】
図３の処理において、Ｗｉ−Ｆｉミキシングとオーバ・ダブは択一である必要はなく、これらを時系列に組み合わせることも可能である。
【００３８】
例えば、まず、Ｗｉ−Ｆｉミキシングによりスマートフォン１２の第１オーディオ信号をストリーミング再生して所望の楽器を演奏し、第２オーディオ信号をミキシングしてＳＤカードに記録する。次に、ミックス処理された（第１オーディオ信号＋第２オーディオ信号）をＳＤカードから読み出して再生し、さらに所望の楽器を演奏し、第３オーディオ信号をミックス処理して（第１オーディオ信号＋第２オーディオ信号＋第３オーディオ信号）を生成し、ＳＤカードに記録する等である。
【００３９】
次に、本実施形態における録音再生装置１０の具体的な構成について説明する。
【００４０】
図４は、本実施形態の録音再生装置１０の構成ブロック図である。録音再生装置１０は、Ｗｉ−Ｆｉモジュール２０、内蔵マイク２２、ライン入力端子２４、内蔵スピーカ３０、ディスプレイ３２、操作ボタン３４、システムコントローラ３６、及びＳＤコネクタ４２を備える。
【００４１】
Ｗｉ−Ｆｉモジュール２０は、無線ＬＡＮモジュールであり、スマートフォン１２とのＷｉ−Ｆｉ接続及びデータ送受を行うモジュールである。Ｗｉ−Ｆｉモジュール２０は、操作ボタン３４の操作に応じて起動し、スマートフォン１２とのＷｉ−Ｆｉ接続を確立し、スマートフォン１２から送信されるオーディオ信号を受信してシステムコントローラ３６に供給する。また、Ｗｉ−Ｆｉモジュール２０は、必要に応じてスマートフォン１２からコマンドを受信し、受信したコマンドをシステムコントローラ３６に供給する。このコマンドは、録音再生装置１０の動作を制御するコマンドであり、例えば録音開始、録音停止等である。これにより、スマートフォン１２を録音再生装置１０のリモコンとして機能させることもできる。スマートフォン１２は、Ｗｉ−Ｆｉモジュール２０を介してシステムコントローラ３６から録音再生装置１０のステータスを取得し、スマートフォン１２のディスプレイに表示してもよい。
【００４２】
内蔵マイク２２は、Ｒチャンネル及びＬチャンネルのステレオマイクであり、演奏された楽器等のオーディオ信号を入力し、インタフェース（Ｉ／Ｆ）２６に出力する。
【００４３】
ライン入力端子２４は、外部機器からのオーディオ信号をライン入力し、インタフェース（Ｉ／Ｆ）２６に出力する。
【００４４】
インタフェース（Ｉ／Ｆ）２６は、内蔵マイク２２あるいはライン入力端子２４からのオーディオ信号をコーデック（ＣＯＤＥＣ）２８に出力する。
【００４５】
コーデック（ＣＯＤＥＣ）２８は、入力されたオーディオ信号をデジタル信号に変換し、圧縮及び符号化してシステムコントローラ３６に供給する。また、システムコントローラ３６から供給されたオーディオ信号を伸長及び復号化し、アナログオーディオ信号に変換して内蔵スピーカ３０から出力する。コーデック（ＣＯＤＥＣ）２８は、内蔵マイク２２あるいはライン入力端子２４からのオーディオ信号を処理するモジュールと、内蔵スピーカ３０に出力するオーディオ信号を処理するモジュールに分離していてもよい。
【００４６】
ディスプレイ３２は、ＬＣＤパネルあるいは有機ＥＬパネル等から構成され、録音再生装置１０の各種ステータス、例えば録音／再生のタイムカウンタや録音レベルを表示する。ディスプレイ３２には、Ｗｉ−Ｆｉモジュール２０の起動状態や接続状態を示すＬＥＤが含まれる。例えば、Ｗｉ−Ｆｉボタンが操作されてＷｉ−Ｆｉモジュール２０が起動し、接続スタンバイ状態になるとＬＥＤは点滅し、スマートフォン１２との接続が確立するとＬＥＤが点灯し、Ｗｉ−Ｆｉボタンが操作されてＷｉ−Ｆｉモジュール２０がオフするとＬＥＤも消灯する。
【００４７】
操作ボタン３４は、録音再生装置１０の動作を指示するボタンである。操作ボタン３４には、Ｗｉ−Ｆｉのオン／オフを切り替えるＷｉ−Ｆｉボタン、録音／再生／停止ボタン、録音レベル調整ボタン、トラック選択ボタン等が含まれる。操作ボタン３４をジョグダイヤルやディスプレイ３２上のタッチボタンとして構成してもよい。
【００４８】
システムコントローラ３６は、プロセッサ及びメモリで構成され、録音再生装置１０の各部を制御する。システムコントローラ３６は、ＲＯＭ３８に記録された処理プログラムに従い、ＲＡＭ４０をワーキングメモリとして用いて各種処理を実行する。各種処理には、Ｗｉ−Ｆｉモジュール２０の起動／オフ、スマートフォン１２との接続確立、スマートフォン１２から受信したオーディオ信号のストリーミング再生、スマートフォン１２からのオーディオ信号（第１オーディオ信号）と内蔵マイク２２（あるいはライン入力端子２４）から入力したオーディオ信号（第２オーディオ信号）とのミックス処理、ミックス処理されたオーディオ信号のＳＤカードへの記録等が含まれる。システムコントローラ３６は、複数のプロセッサを備えていてもよく、ＰＬＤ（プログラマブルロジックデバイス）と協働してもよい。
【００４９】
ＳＤコネクタ４２は、ＳＤカードが装着される。システムコントローラ３６は、ミックス処理されたオーディオ信号をＳＤカードに記録することで録音する。また、ＳＤカードに記録されているオーディオ信号を読み出し、コーデック（ＣＯＤＥＣ）２８を介して内蔵スピーカ３０から出力する。
【００５０】
システムコントローラ３６は、上記の通り、スマートフォン１２から受信した第１オーディオ信号をストリーミング再生し、ストリーミング再生しながら内蔵マイク２２（あるいはライン入力端子２４）から入力した第２オーディオ信号と第１オーディオ信号とをミックスしてＳＤカードに記録する。システムコントローラ３６は、このミックス処理を複数の内蔵バッファメモリを用いて実行する。
【００５１】
図５は、システムコントローラ３６におけるミックス処理の模式図である。
【００５２】
システムコントローラ３６は、バッファメモリとして、ストリーミング再生用バッファメモリ３６ａ、ＳＤ再生用バッファメモリ３６ｂ、入力用バッファメモリ３６ｃ、ミックス用バッファメモリ３６ｄ、出力用バッファメモリ３６ｅ、及び録音用バッファメモリ３６ｆを用いる。
【００５３】
Ｗｉ−Ｆｉ接続されたスマートフォン１２から送信された第１オーディオ信号は、ストリーミング再生用バッファメモリ３６ａに順次格納される。システムコントローラ３６は、第１オーディオ信号をストリーミング再生用バッファメモリ３６ａに順次格納するとともに、これと並行して、ストリーミング再生用バッファメモリ３６ａの先頭から順次、第１オーディオ信号を読み出して、ミックス用バッファメモリ３６ｄに順次格納する。ストリーミング再生用バッファメモリは、バッファメモリをリング状に配置し、読み出し位置が書き込み位置を追いかけつつ回るリングバッファで構成する。読み出し位置から書き込み位置までの領域をデータ保存領域とし、この領域を変更禁止にすることで書き込まれたデータを正しく読み出することができる。それ以外の領域を、次の読み出しに備えてデータを更新できる領域とする。必要に応じ、バッファメモリ全体をＮ等分（例えば４等分）して一回の処理で更新を行う領域を定義してもよい。ミックス用バッファメモリ３６ｄに格納された第１オーディオ信号を
Ｒチャンネル：ａｒ１（ｔ１）、ａｒ２（ｔ２）、ａｒ３（ｔ３）、・・・
Ｌチャンネル：ａｌ１（ｔ１）、ａｌ２（ｔ２）、ａｌ３（ｔ３）、・・・
とする。ここで、ｔ１、ｔ２、ｔ３は時刻を示す。
また、システムコントローラ３６は、ミックス用バッファメモリ３６ｄに格納した第１オーディオ信号を読み出してさらに出力用バッファメモリ３６ｅに格納し、この出力用バッファメモリ３６ｅに格納された第１オーディオ信号をコーデック（ＣＯＤＥＣ）２８を介して内蔵スピーカ３０から出力する。ユーザは、内蔵スピーカ３０からストリーミング再生されたオーディオを聴くことができ、オーディオを聞きながら所望の楽器を演奏することができる。
【００５４】
ユーザがギター等の楽器１４を演奏して生成した第２オーディオ信号は、内蔵マイク２２（あるいはライン入力端子２４）、インタフェース（Ｉ／Ｆ）２６、コーデック（ＣＯＤＥＣ）２８を介して入力用バッファメモリ３６ｃに順次格納される。入力用バッファメモリ３６ｃに順次格納される第２オーディオ信号を
Ｒチャンネル：ｂｒ１（ｔ１）、ｂｒ２（ｔ２）、ｂｒ３（ｔ３）、・・・
Ｌチャンネル：ｂｌ１（ｔ１）、ｂｌ２（ｔ２）、ｂｌ３（ｔ３）、・・・
とする。システムコントローラ３６は、ミックス用バッファメモリ３６ｄに格納されている第１オーディオ信号（ストリーミング再生されたオーディオ信号）と、入力用バッファメモリ３６ｃに格納されている第２オーディオ信号に対し、実質的に同一時間タイミングのデータ同士を加算して、
Ｒチャンネル：ａｒ１＋ｂｒ１、ａｒ２＋ｂｒ２、ａｒ３＋ｂｒ３、・・・
Ｌチャンネル：ａｌ１＋ｂｌ１、ａｌ２＋ｂｌ２、ａｌ３＋ｂｌ３、・・・
を生成する。
【００５５】
両信号を加算してミックス処理した後、システムコントローラ３６は、ミックス用バッファメモリ３６ｄからミックス処理後のオーディオ信号を読み出して録音用バッファメモリ３６ｆに順次格納し、さらにＳＤカードに書き込んでいく。
【００５６】
なお、ストリーミング再生用バッファメモリ３６ａから第１オーディオ信号を読み出してミックス用バッファメモリ３６ｄに格納する際に、未だミックス処理がなされておらず録音用バッファメモリ３６ｆにも格納されていない領域には格納せず、それ以外の領域に格納していくのは言うまでもない。ミックス処理され録音用バッファメモリ３６ｆにも格納されたオーディオ信号（第１オーディオ信号＋第２オーディオ信号）は、ミックス用バッファメモリ３６ｄから消去してもよく、上書きを許容することで消去してもよい。従って、ミックス用バッファメモリ３６ｄもリングバッファで構成した場合、書き込み位置と
出力用バッファメモリ３６ｅに書き込むための読み出し位置との間の領域、及び、書き込み位置と録音用バッファメモリ３６ｆに書き込むための読み出し位置との間の領域をデータ保存領域とし、この領域を変更禁止にし、それ以外の領域を、次の読み出しに備えてデータを更新できる領域とする。
【００５７】
他方、オーバ・ダブの場合には、システムコントローラ３６は、ＳＤカードに記録されたオーディオ信号を読み出してＳＤ再生用バッファメモリ３６ｂに順次格納する。そして、ＳＤ再生用バッファメモリ３６ｂから読み出したオーディオ信号は、一旦、ミックス用バッファメモリ３６ｄに格納した後に、出力用バッファメモリ３６ｅに格納し、この出力用バッファメモリ３６ｅに格納されたオーディオ信号をコーデック（ＣＯＤＥＣ）２８を介して内蔵スピーカ３０から出力する。ユーザは、内蔵スピーカ３０から再生されたオーディオを聴くことができ、オーディオを聞きながら所望の楽器を演奏することができる。
【００５８】
ユーザが楽器等を演奏して生成した第２オーディオ信号は、内蔵マイク２２（あるいはライン入力端子２４）、インタフェース（Ｉ／Ｆ）２６、コーデック（ＣＯＤＥＣ）２８を介して入力用バッファメモリ３６ｃに順次格納される。入力用バッファメモリ３６ｃに順次格納される第２オーディオ信号を
Ｒチャンネル：ｂｒ１（ｔ１）、ｂｒ２（ｔ２）、ｂｒ３（ｔ３）、・・・
Ｌチャンネル：ｂｌ１（ｔ１）、ｂｌ２（ｔ２）、ｂｌ３（ｔ３）、・・・
とする。システムコントローラ３６は、ミックス用バッファメモリ３６ｄに格納されているオーディオ信号（ＳＤカードから再生されたオーディオ信号）と、入力用バッファメモリ３６ｃに格納されている第２オーディオ信号に対し、実質的に同一時間タイミングのデータ同士を加算してミックス信号を生成する。
【００５９】
両信号を加算してミックス処理した後、システムコントローラ３６は、ミックス用バッファメモリ３６ｄからミックス処理後のオーディオ信号を読み出して録音用バッファメモリ３６ｆに順次格納し、さらにＳＤカードに書き込んでいく。
【００６０】
このように、Ｗｉ−Ｆｉミックス及びオーバ・ダブのいずれの処理も、ミックス用バッファメモリ３６ｄを介して実行することができる。
【００６１】
本実施形態では、既述したように、Ｗｉ−Ｆｉミックス処理した後に、さらにオーバ・ダブ処理を行うこともできる。この場合の処理は以下の通りである。
【００６２】
すなわち、Ｗｉ−Ｆｉ接続されたスマートフォン１２から送信された第１オーディオ信号は、ストリーミング再生用バッファメモリ３６ａに順次格納される。システムコントローラ３６は、第１オーディオ信号をストリーミング再生用バッファメモリ３６ａに順次格納するとともに、これと並行して、ストリーミング再生用バッファメモリ３６ａの先頭から順次第１オーディオ信号を読み出して、ミックス用バッファメモリ３６ｄに順次格納する。ミックス用バッファメモリ３６ｄに格納された第１オーディオ信号を
Ｒチャンネル：ａｒ１（ｔ１）、ａｒ２（ｔ２）、ａｒ３（ｔ３）、・・・
Ｌチャンネル：ａｌ１（ｔ１）、ａｌ２（ｔ２）、ａｌ３（ｔ３）、・・・
とする。また、システムコントローラ３６は、ミックス用バッファメモリ３６ｄに格納した第１オーディオ信号を読み出してさらに出力用バッファメモリ３６ｅに格納し、この出力用バッファメモリ３６ｅに格納された第１オーディオ信号をコーデック（ＣＯＤＥＣ）２８を介して内蔵スピーカ３０から出力する。ユーザは、内蔵スピーカ３０からストリーミング再生されたオーディオを聴くことができ、オーディオを聞きながら所望の楽器を演奏することができる。
【００６３】
ユーザが楽器等を演奏して生成した第２オーディオ信号は、内蔵マイク２２（あるいはライン入力端子２４）、インタフェース（Ｉ／Ｆ）２８、コーデック（ＣＯＤＥＣ）２８を介して入力用バッファメモリ３６ｃに順次格納される。入力用バッファメモリ３６ｃに順次格納される第２オーディオ信号を
Ｒチャンネル：ｂｒ１（ｔ１）、ｂｒ２（ｔ２）、ｂｒ３（ｔ３）、・・・
Ｌチャンネル：ｂｌ１（ｔ１）、ｂｌ２（ｔ２）、ｂｌ３（ｔ３）、・・・
とする。システムコントローラ３６は、ミックス用バッファメモリ３６ｄに格納されている第１オーディオ信号（ストリーミング再生されたオーディオ信号）と、入力用バッファメモリ３６ｃに格納されている第２オーディオ信号に対し、実質的に同一時間タイミングのデータ同士を加算して、
Ｒチャンネル：ａｒ１＋ｂｒ１、ａｒ２＋ｂｒ２、ａｒ３＋ｂｒ３、・・・
Ｌチャンネル：ａｌ１＋ｂｌ１、ａｌ２＋ｂｌ２、ａｌ３＋ｂｌ３、・・・
を生成する。
【００６４】
両信号を加算してミックス処理した後、システムコントローラ３６は、ミックス用バッファメモリ３６ｄからミックス処理後のオーディオ信号（第１オーディオ信号＋第２オーディオ信号）を読み出して録音用バッファメモリ３６ｆに順次格納し、さらにＳＤカードに書き込んでいく。
【００６５】
次に、システムコントローラ３６は、ＳＤカードに記録されたオーディオ信号（第１オーディオ信号＋第２オーディオ信号）を読み出してＳＤ再生用バッファメモリ３６ｂに順次格納する。そして、ＳＤ再生用バッファメモリ３６ｂから読み出したオーディオ信号は、一旦、ミックス用バッファメモリ３６ｄに格納した後に、出力用バッファメモリ３６ｅに格納し、この出力用バッファメモリ３６ｅに格納されたオーディオ信号をコーデック（ＣＯＤＥＣ）２８を介して内蔵スピーカ３０から出力する。ユーザは、内蔵スピーカ３０から再生されたオーディオを聴くことができ、オーディオを聞きながら所望の楽器を演奏することができる。
【００６６】
ユーザが楽器等を演奏して生成した第３オーディオ信号は、内蔵マイク２２（あるいはライン入力端子２４）、インタフェース（Ｉ／Ｆ）２８、コーデック（ＣＯＤＥＣ）２８を介して入力用バッファメモリ３６ｃに順次格納される。入力用バッファメモリ３６ｃに順次格納される第３オーディオ信号を
Ｒチャンネル：ｃｒ１（ｔ１）、ｃｒ２（ｔ２）、ｃｒ３（ｔ３）、・・・
Ｌチャンネル：ｃｌ１（ｔ１）、ｃｌ２（ｔ２）、ｃｌ３（ｔ３）、・・・
とする。システムコントローラ３６は、ミックス用バッファメモリ３６ｄに格納されているオーディオ信号（ＳＤカードから再生されたオーディオ信号）と、入力用バッファメモリ３６ｃに格納されている第３オーディオ信号に対し、実質的に同一時間タイミングのデータ同士を加算して、
Ｒチャンネル：ａｒ１＋ｂｒ１＋ｃｒ１、ａｒ２＋ｂｒ２＋ｃｒ２、ａｒ３＋ｂｒ３＋ｃｒ３、・・・
Ｌチャンネル：ａｌ１＋ｂｌ１＋ｃｌ１、ａｌ２＋ｂｌ２＋ｃｌ２、ａｌ３＋ｂｌ３＋ｃｌ３、・・・
を生成する。
【００６７】
合計３つの信号を加算してミックス処理した後、システムコントローラ３６は、ミックス用バッファメモリ３６ｄからミックス処理後のオーディオ信号を読み出して録音用バッファメモリ３６ｆに順次格納し、さらにＳＤカードに書き込む。
【００６８】
以上の処理を繰り返し実行することで、所望の数のオーディオ信号をミックスすることができる。
【００６９】
本実施形態では、Ｗｉ−Ｆｉミックス処理時にストリーミング再生用バッファメモリ３６ａを用い、オーバ・ダブ処理時にＳＤ再生用バッファメモリ３６ｂを用いているが、これらを同時に使用することはないので、ストリーミング再生用バッファメモリ３６ａとＳＤ再生用バッファメモリ３６ｂを共用の単一バッファメモリで構成することもでき、これにより構成の簡易化及びコスト低減を図ることができる。また、ＳＤ再生用バッファメモリ３６ｂ及びミックス用バッファメモリ３６ｄは、オーバ・ダブ処理を実行する際に必要なバッファメモリであるので、オーバ・ダブ機能を有する録音再生装置において、オーバ・ダブ処理を実行するための構成を援用してＷｉ−Ｆｉミックス処理を実現するということもできる。
【００７０】
本実施形態では、録音再生装置１０の内蔵マイク２２からオーディオ信号を入力し、内蔵スピーカ３０から出力しているが、内蔵マイク２２に代えて外部マイクを用いてもよく、内蔵スピーカ３０に代えて外部スピーカを用いてもよい。
【００７１】
また、本実施形態では、無線接続としてＷｉ−Ｆｉ接続を例示したが、ブルートゥース等を用いてもよい。
【符号の説明】
【００７２】
１０  録音再生装置、１２  スマートフォン、１４  楽器、２０  Ｗｉ−Ｆｉモジュール、２２  内蔵マイク、２４  ライン入力端子、３０  内蔵スピーカ、３２  ディスプレイ、３４  操作ボタン、３６  システムコントローラ、４２  ＳＤコネクタ。
【図１】
0006550739.tif 000002
【図２】
0006550739.tif 000003
【図３】
0006550739.tif 000004
【図４】
0006550739.tif 000005
【図５】
0006550739.tif 000006